(57)【特許請求の範囲】
【請求項１】
貨幣を収納し、貨幣を出金または入金する出納機と、該出納機と通信可能に接続され、該出納機とは別に貨幣を収納しかつ管理する貨幣管理装置と、を備える貨幣管理システムであって、
使用者の操作により、前記出納機が、前記貨幣管理装置への入出金操作毎に設定される入出金操作の詳細を含む第１の連携情報を該貨幣管理装置へ送信した場合、前記貨幣管理装置は、前記貨幣管理装置に入力され入出金する入出金操作の詳細を含む第２の連携情報と前記第１の連携情報とが一致する場合に貨幣の収納／取出を可能な状態にし、
前記貨幣管理装置に入出金する際に、操作者が前記出納機の操作をすることなく、前記貨幣管理装置から貨幣を入金または出金する場合、前記貨幣管理装置に入出金された後に、前記出納機での前記貨幣管理装置の在高を更新するための処理キューを、前記貨幣管理装置から前記出納機に送信することを特徴とする貨幣管理システム。
【請求項２】
貨幣を収納し、貨幣を出金または入金する出納機と、該出納機と通信可能に接続され、該出納機とは別に貨幣を収納しかつ管理する貨幣管理装置と、を備える貨幣管理システムを用いた貨幣管理方法であって、
使用者の操作により、前記出納機が、前記貨幣管理装置への入出金操作毎に設定される入出金操作の詳細を含む第１の連携情報を該貨幣管理装置へ送信した場合、前記貨幣管理装置は、前記貨幣管理装置に入力され入出金する入出金操作の詳細を含む第２の連携情報と前記第１の連携情報とが一致する場合に貨幣の収納／取出を可能な状態にし、
前記貨幣管理装置に入出金する際に、操作者が前記出納機の操作をすることなく、前記貨幣管理装置から貨幣を入金または出金する場合、前記貨幣管理装置に入出金された後に、前記出納機での前記貨幣管理装置の在高を更新するための処理キューを、前記貨幣管理装置から前記出納機に送信することを特徴とする貨幣管理方法。
【請求項３】
前記第１および第２の連携情報は、連携番号であることを特徴とする請求項１に記載の貨幣管理システム。
【請求項４】
前記第１および第２の連携情報は、連携番号であることを特徴とする請求項２に記載の貨幣管理方法。
【発明の詳細な説明】
【技術分野】
【０００１】
本発明は、相互に通信可能に構成された出納機（貨幣管理本体機）と貨幣管理装置（貨幣管理端末機）とを備えた貨幣管理システム及びその貨幣管理方法に関する。
【背景技術】
【０００２】
特許文献１には、貨幣管理装置が開示されている。当該貨幣管理装置では、金種ごとに収納庫が設けられ、また、収納庫ごとに重量測定手段が設けられている。当該重量測定手段によって、金種ごとの重量が測定され、当該重量から金種ごとの棒金の本数が計算される。計算された棒金の本数は、測定日時と共に記憶され、表示される。重量の測定、棒金の本数の計算及び記憶は、貨幣管理装置が操作される度に（データ変更がある度に）行われる。
【０００３】
貨幣管理装置は、入金の際に出納機内の現金が多くなって入らなくなったときに、利用されている。そして、その出納機内の現金が少なくなったときに、このような装置から逆に現金が取り出され、出納機に補充されている。
【０００４】
貨幣管理装置を用いる場合、行員は、入出金を操作する時に、入金金額乃至出金金額を台帳等に記入していた。
【０００５】
しかしながら、台帳に記入された入出金額と実際の入出金額とが異なっていると、問題が生じる。装置側では、実際の入出金額しか測定できないため、台帳に記入された入出金額が正しいかどうか精査できない。更に、このような装置は、誰が入出金の操作を行ったのかについて、管理を行っていない。また、行員であれば、誰でも収納庫を開閉することができる。従って、例えば、行員が入出金額をごまかして不正を行うということが理論上可能であった。
【０００６】
また、このような装置では、出納機と貨幣管理装置との在高の管理が連動されていないため、それらを総合的に管理することが困難である。
【０００７】
一方、複数の自動取引装置の現金残高を集計することができる現金管理システムが、特許文献２に記載されている。しかし、このシステムは、装填庫が出納機（ＡＴＭ）に装填された時に記憶している在高情報を収集する技術であり、行員が現金を出し入れする貨幣管理装置の在高管理に関連しない。
【０００８】
特許文献３には、現金処理機とホスト端末とを通信接続し、ホスト端末にて出納機の在高を自動管理するシステムを開示している。特許文献４には、金融店舗と、該金融店舗のデータを管理するセンタとの間を通信接続し、センタにて金融店舗の在高データをリアルタイムで管理するシステムが開示されている。
【０００９】
しかし、特許文献２〜４に記載されたシステムも、行員が現金を出し入れする貨幣管理装置の在高管理に関連しない。
【先行技術文献】
【特許文献】
【００１０】
【特許文献１】実用新案登録２５９９２３２号公報
【特許文献２】特許第２７２６５５０号明細書
【特許文献３】特開２００３−３６３６１号公報
【特許文献４】特開２００２−１３３０９４号公報
【発明の概要】
【発明が解決しようとする課題】
【００１１】
上述のように、従来の技術においては、出納機の在高情報と貨幣管理装置の在高情報とを連動又は連携させて金融機関内の総合的な在高管理を行う貨幣管理システムは提供されていなかった。
【００１２】
本発明は、かかる課題を解決するためになされたものであり、出納機が貨幣管理装置の在高情報を受け取ることにより正確且つ総合的な金融機関内の在高を一元的に管理することができる貨幣管理システム及び貨幣管理方法を提供することを目的とする。
【００１３】
また、本発明は、行員が貨幣管理装置から現金を取出または収納したときに、行員が出納機の操作をすることなく、貨幣管理装置内の在高を出納機により一元的に管理することができる貨幣管理システム及び貨幣管理方法を提供することを目的とする。
【課題を解決するための手段】
【００１４】
本発明に係る実施形態に従った貨幣管理システムは、貨幣を収納し、貨幣を出金または入金する出納機と、該出納機と通信可能に接続され、該出納機とは別に貨幣を収納しかつ管理する貨幣管理装置と、を備える貨幣管理システムであって、
使用者の操作により、前記出納機が、前記貨幣管理装置への入出金操作毎に設定される入出金操作の詳細を含む第１の連携情報を該貨幣管理装置へ送信した場合、前記貨幣管理装置は、前記貨幣管理装置に入力され入出金する入出金操作の詳細を含む第２の連携情報と前記第１の連携情報とが一致する場合に貨幣の収納／取出を可能な状態にし、
前記貨幣管理装置に入出金する際に、操作者が前記出納機の操作をすることなく、前記貨幣管理装置から貨幣を入金または出金する場合、前記貨幣管理装置に入出金された後に、前記出納機での前記貨幣管理装置の在高を更新するための処理キューを、前記貨幣管理装置から前記出納機に送信することを特徴とする。
【００１５】
本発明に係る実施形態に従った貨幣管理方法は、貨幣を収納し、貨幣を出金または入金する出納機と、該出納機と通信可能に接続され、該出納機とは別に貨幣を収納しかつ管理する貨幣管理装置と、を備える貨幣管理システムを用いた貨幣管理方法であって、
使用者の操作により、前記出納機が、前記貨幣管理装置への入出金操作毎に設定される入出金操作の詳細を含む第１の連携情報を該貨幣管理装置へ送信した場合、前記貨幣管理装置は、前記貨幣管理装置に入力され入出金する入出金操作の詳細を含む第２の連携情報と前記第１の連携情報とが一致する場合に貨幣の収納／取出を可能な状態にし、
前記貨幣管理装置に入出金する際に、操作者が前記出納機の操作をすることなく、前記貨幣管理装置から貨幣を入金または出金する場合、前記貨幣管理装置に入出金された後に、前記出納機での前記貨幣管理装置の在高を更新するための処理キューを、前記貨幣管理装置から前記出納機に送信することを特徴とする。
【００１６】
第１および第２の連携情報は、連携番号であってもよい。
【発明の効果】
【００２４】
本発明による貨幣管理システム及び貨幣管理方法は、出納機が貨幣管理装置の在高情報を受け取ることにより正確且つ総合的な金融機関内の在高を一元的に管理することができる。
【００２５】
本発明による貨幣管理システム及び貨幣管理方法は、行員が貨幣管理装置から現金を取出または収納したときに、行員が出納機の操作をすることなく、貨幣管理装置内の在高を出納機により一元的に管理することができる。
【図面の簡単な説明】
【００２６】
【図１】本発明の一実施の形態を示すシステム概略図である。
【図２】図１の出納機の外観を示す斜視図である。
【図３】図１及び図２の出納機の機能ブロック図である。
【図４】図１の貨幣管理装置の外観を示す斜視図である。
【図５】図１及び図４の貨幣管理装置の第２紙幣収納ドロアの斜視図である。
【図６】図１及び図４の貨幣管理装置の第２硬貨収納ドロアの斜視図である。
【図７】図１及び図４の貨幣管理装置の機能ブロック図である。
【図８】本発明の実施の一形態に係る貨幣管理システム及び貨幣管理方法による在高管理の全体像を模式的に表した説明図である。
【図９】貨幣管理装置での入出金操作プロセスの一例を示すフローチャートである。
【図１０】貨幣管理装置の表示部に表示される画面の説明図である。
【図１１】貨幣管理装置の表示部に表示される画面を示す図である。
【図１２】貨幣管理装置の表示部に表示される画面を示す図である。
【図１３】貨幣管理装置における処理データを表示部に表示した図である。
【図１４】処理キューの内容を貨幣管理装置の表示部に表示した図である。
【図１５】処理キューを受信した出納機の表示部に表示される画面を示す図である。
【図１６】処理キューを受信した出納機の表示部に表示される画面を示す図である。
【図１７】在庫から貨幣管理装置への装填処理の流れを示す全体的なイメージを示す概念図である。
【図１８】回収処理時に貨幣管理装置の表示部に表示される画面を示す図である。
【図１９】回収時における貨幣管理装置２００の処理データの内容を表示した図である。
【図２０】処理キューを受信した出納機の表示部に表示される画面を示す図である。
【図２１】処理キューを受信した出納機の表示部に表示される画面を示す図である。
【図２２】貨幣管理装置から在庫への回収処理の流れを示す全体的なイメージを示す概念図である。
【図２３】収納処理時に貨幣管理装置の表示部に表示される画面を示す図である。
【図２４】収納時における貨幣管理装置２００の処理データの内容を表示した図である。
【図２５】処理キューを受信した出納機の表示部に表示される画面を示す図である。
【図２６】貨幣管理装置への収納処理の流れを示す全体的なイメージを示す概念図である。
【図２７】取出処理時に貨幣管理装置の表示部に表示される画面を示す図である。
【図２８】取出処理時における貨幣管理装置の処理データの内容を表示した図である。
【図２９】処理キューを受信した出納機の表示部に表示される画面を示す図である。
【図３０】貨幣管理装置からの取出処理の流れを示す全体的なイメージを示す概念図である。
【発明を実施するための形態】
【００２７】
以下、本発明に係る貨幣管理システム及び貨幣管理方法の実施の一形態について、図面を参照しながら説明する。
【００２８】
図１は、本発明の実施の一形態を示すシステム概略図である。図１に示す貨幣管理システム（貨幣処理システム）３００は、相互に通信可能に構成された出納機１００と貨幣管理装置２００（現金バスとも呼ばれる）とを備えている。出納機１００が、貨幣管理本体機（貨幣処理本体機）として機能し、貨幣管理装置２００が、貨幣管理端末機（貨幣処理端末機）として機能するように構成されている。出納機１００及び貨幣管理装置２００は、それぞれ、上位の貨幣管理装置（貨幣処理装置）及び下位の貨幣管理装置（貨幣処理装置）として理解されてもよい。また、１台の出納機１００に対して、複数台の貨幣管理装置２００が通信可能に設けられてもよい。ここで、出納機１００と貨幣管理装置２００との間の通信は、有線通信または無線通信のいずれであってもよい。
【００２９】
図２は、出納機１００の外観を示す斜視図である。図３は、出納機１００の機能ブロック図である。
【００３０】
図２に示すように、出納機１００は、束紙幣を処理する束紙幣処理部Ｐ１及びバラ紙幣を処理するバラ紙幣処理部Ｐ２からなる紙幣処理装置１１と、バラ硬貨を処理するバラ硬貨処理装置１２と、包装硬貨を処理する包装硬貨処理装置１３と、を備えている。図２において、２１は束紙幣を出金する束紙幣出金口、２２はバラ紙幣を出金するバラ紙幣出金口、２３は包装硬貨を出金する包装硬貨出金口、並びに、２４はバラ硬貨を出金するバラ硬貨出金口である。
【００３１】
また、この出納機１００は、現金以外の有価証券類を投入する現金外ボックス１４、出納機１００全体を制御する制御部１５、制御部１５に各種の指示を与えるキーボード式操作部１６、および、制御部１５による指示に従って印字処理を行う外部プリンタ１８、を備えている。外部プリンタ１８が、レシート発行装置及び／又は認証印字プリンタとして機能するようになっている。
【００３２】
制御部１５は、その一部として、一般行員及び管理者とのインタフェースとしての表示部１５ａと、一般行員及び管理者が所持するＩＤカードの内容を読み取るＩＤカードリーダ１５ｂと、を備えている。本実施の形態においてはＩＤカードリーダが用いられているが、これに限られず、公知の顔認証端末や、指に流れる静脈を認証するもの等、使用者本人を認証するものであれば何を用いても構わない。
【００３３】
また、図３に示すように、この制御部１５は、各種プログラム及びデータを格納したＲＯＭ１５ｄ、プログラムのロード領域やプログラム実行時における作業領域となるＲＡＭ１５ｅ、フレキシブルディスクに対してデータを読み書きするフレキシブルディスクドライブ１５ｆ、各種プログラム及びデータを記憶したハードディスクドライブ１５ｇ、および、ＲＯＭ１５ｄやハードディスクドライブ１５ｇ内に格納されたプログラムを実行等して出納機１００全体を制御する制御本体部１５ｃを備えている。
【００３４】
また、図３に示すように、出納機１００は、貨幣管理装置２００との間でデータ通信を行う通信インタフェース（通信ＩＦ）１９を備えている。これにより、出納機１００（貨幣管理本体機）と貨幣管理装置２００（貨幣管理端末機）とは、相互に通信可能となっている。例えば、出納機１００と貨幣管理装置２００とは、無線ＬＡＮ、光ＬＡＮ等で通信可能なように接続されている。
【００３５】
図４は、貨幣管理装置２００の外観を示す斜視図である。図４に示すように、貨幣管理装置２００は、例えば、１万円紙幣を収納保管する第１紙幣収納ドロア２１１と、その他の金種の紙幣を収納保管する第２紙幣収納ドロア２１２と、１００円と１０円と１円の硬貨を収納保管する第１硬貨収納ドロア２１３と、５００円と５０円と５円の硬貨を収納保管する第２硬貨収納ドロア２１４と、現金以外の有価証券類も投入することができる予備収納ドロア２１５と、を備えている。
【００３６】
また、この貨幣管理装置２００は、貨幣管理装置２００の全体を制御する制御装置２２５（制御手段）と、制御装置２２５に各種の指示を与えるキーボード式操作部２２６と、使用者（係員（多くの場合銀行員）及び管理者）とのインタフェースとしての表示部２２７と、収納庫に貨幣を入出金する操作を行う使用者が所持するＩＤカードの内容を読み取るＩＤカードリーダ２２８と、を備えている。
【００３７】
ＩＤカードの内容、即ち、ＩＤカードに記憶されたＩＤ情報が、使用者情報の一態様であり、ＩＤカードリーダ２２８が、使用者情報取得手段の一態様である。図４の例では、接触式のＩＤカードリーダ２２８が採用されているが、非接触式のカードリーダが採用されてもよい。また、ＩＤカードリーダの他に、出納機１００と同様、顔認証や静脈認証等を利用するための機器が採用されてもよい。
【００３８】
図５は、貨幣管理装置２００の第２紙幣収納ドロア２１２の斜視図である。図５に示すように、第２紙幣収納ドロア２１２には、３種類の金種の紙幣の束が、規則正しく収納保管される。図５の例では、第２紙幣収納ドロア２１２の内部に、４つの紙幣保管容器２２１〜２２４が配置されており、各容器ごとに、収納保管される紙幣の金種が決められている。また、１束１００枚の束紙幣を１０束ごとに束ねた大束紙幣が収納保管されるようになっていてもよい。
【００３９】
図６は、貨幣管理装置２００の第２硬貨収納ドロア２１４の斜視図である。図６に示すように、第２硬貨収納ドロア２１４には、３種類の金種の棒金状態の硬貨が、規則正しく収納保管される。図６の例では、第２硬貨収納ドロア２１４の内部に、３つの硬貨保管容器２４１〜２４３が配置されており、各容器ごとに、収納保管される硬貨の金種が決められている。
【００４０】
硬貨保管容器２４１の底面には、硬貨保管容器２４１内に収納保管される硬貨の重量を測定するための測定手段として、ロードセル２６１が設けられている。ロードセル２６１の構成の詳細については十分に知られていると思われるので、ここでの説明は省略する。他の硬貨保管容器２４２、２４３、並びに、紙幣保管容器２２１〜２２４についても、同様にロードセル２６１が設けられている。このような構成によって、各金種ごとに、収納保管されている貨幣の重量が測定されるようになっている。
【００４１】
その他、予備収納庫２１５は、硬貨予備収納部と、紙幣予備収納部と、現金以外の有価証券類を投入することができる空スペースとを備えている。
【００４２】
続いて、図７は、貨幣管理装置２００の制御装置２２５の機能ブロック図である。制御装置２２５は、各種プログラム及びデータを格納したＲＯＭ２２５ｄ、プログラムのロード領域やプログラム実行時における作業領域となるＲＡＭ２２５ｅ、各種プログラム及びデータを記憶したハードディスクドライブ２２５ｇ、ＲＯＭ２２５ｄやハードディスクドライブ２２５ｇ内に格納されたプログラムを実行等して貨幣管理装置２００全体を制御する演算制御部２２５ｃを備えている。
【００４３】
演算制御部２２５ｃ（演算手段）は、各金種ごとに対応して設けられたロードセル２６１（重量測定手段）に接続されており、ロードセル２６１の出力値に基づいて、収納保管された貨幣の重量に対応する貨幣の金額を算出できるようになっている。そして、ハードディスクドライブ２２５ｇが、入力された取引に関わる情報および在庫状況を示す情報を記憶する。
【００４４】
本実施の形態では、ここで、ＩＤカードリーダ２２８が読み取るＩＤ情報（使用者情報）も、算出された貨幣の金額（入出金操作後の収納保管金額）と対応させた態様で、ハードディスクドライブ２２５ｇに記憶されるように構成されている。
【００４５】
本実施の形態では、更に、キーボード式操作部２２６（入力手段）において、収納庫に対して入出金される貨幣の金額が入力されるようになっており、演算制御部２２５ｃが、精査手段として、ロードセル２６１の出力値から算出された金額と、キーボード式操作部２２６で入力された金額とを精査できるようになっている。
【００４６】
また、図７に示すように、貨幣管理装置２００は、出納機１００との間でデータ通信を行う通信インタフェース（通信ＩＦ）２２９を備えている。これにより、貨幣管理装置２００（貨幣管理端末機）と出納機１００（貨幣管理本体機）とは、相互に通信可能となっている。
【００４７】
また、本実施の形態の制御装置２２５は、ロック制御手段として、各ドロア２１１〜２１５に設けられた開閉電磁ロック２１１ｍ〜２１５ｍに接続されていて、各ドロア２１１〜２１５を、貨幣の入出金が可能な開状態と貨幣の入出金が不可能なロック状態との間で切替えることができるようになっている。
【００４８】
この切替制御の条件として、本実施の形態では、使用者照合が採用されている。具体的には、例えば、予め許可者として設定された使用者のＩＤ情報（使用者情報）が、ハードディスクドライブ２２５ｇに記憶されていて、ＩＤカードリーダ２２８（使用者情報取得手段）が読み取ったＩＤ情報が、使用者識別手段としての演算制御部２２５ｃによって、許可者のＩＤ情報に対して照合されるように構成されている。照合の結果がＹＥＳである場合、即ち、ＩＤカードリーダ２２８が読み取ったＩＤ情報が、予め許可者として設定された使用者のＩＤ情報に合致する場合にのみ、制御装置２２５は、開閉電磁ロック２１１ｍ〜２１５ｍを制御して、貨幣の収納／取出が可能な開状態とすることができる。
【００４９】
別の切替制御の条件として、本実施の形態では、使用者照合に加えて、連携情報の照合も採用され得る。連携情報とは、例えば入出金操作ごとに設定される操作情報であり、通常は入出金の金種及びその数量のデータであるが、入出金操作の手順に関するデータを含むこともあり得る。連携情報の照合の具体的態様としては、例えば、予め許可操作として設定された連携情報が、出納機１００から通信機能を利用して例えばＲＡＭ２２５ｅに転送記憶され、一方、使用者によって、連携情報に対応する４桁の連携番号が、キーボード式操作部２２６（連携情報取得手段）で入力され得る。そして、入力された４桁の連携番号の情報が、操作識別手段としての演算制御部２２５ｃによって、転送記憶された連携情報に対して照合され得る。この場合、照合の結果がＹＥＳである場合、即ち、入力された４桁の連携番号が、転送記憶された許可操作の連携情報に合致する場合にのみ、制御装置２２５は、開閉電磁ロック２１１ｍ〜２１５ｍを制御して、貨幣の入出金が可能な開状態とすることができる。この態様においては、好適なことに、入出金操作の具体的内容に即して、開閉電磁ロック２１１ｍ〜２１５ｍを個別に制御することが可能である。具体的には、入出金対象である金種を収納するドロアのみを、開状態に切り替えることができる。更には、複数のドロアが同時には開状態にならないように、各ドロアを順に開状態に切り換えるという制御態様を採用することも可能である。
【００５０】
その他、本実施の形態では、貨幣管理装置２００（貨幣管理端末機）と出納機１００（貨幣管理本体機）とが相互に通信可能であることを利用して、更に以下のような構成が採用されている。
【００５１】
出納機１００（貨幣管理本体機）の制御部１５は、通信機能を利用して貨幣管理装置２００（貨幣管理端末機）の在高データを確認及び／又は精査するための在高データ遠隔確認部として機能できるように構成されている。具体的には、出納機１００（貨幣管理本体機）の制御部１５が、通信インタフェース（通信ＩＦ）１９及び通信インタフェース（通信ＩＦ）２２９を介して、精査手段である演算制御部２２５ｃを制御できるようになっている。
【００５２】
その他、各ドロア２１１〜２１５の開状態が所定時間以上継続している際に報知信号を出力する報知装置（アラーム装置）２８０が更に設けられている。
【００５３】
また、図７における鍵検知部２９０とは、貨幣管理装置２００の電源ｏｆｆ時にドロアの開閉が行われる際に、そのことを検知するセンサ装置である。これは、少なくとも当該技術分野においては新しい技術であるが、本発明の概念とは直接には関連しないので、ここでの説明は省略する。
【００５４】
図８は、本発明の実施の一形態に係る貨幣管理システム及び貨幣管理方法による在高管理の全体像を模式的に表した説明図である。
【００５５】
本発明の実施の一形態に係る貨幣管理システムは、相互に通信可能に構成された出納機１００と貨幣管理装置２００とを備えている。出納機１００と貨幣管理装置２００とは、相互に通信可能に構成されているが、その通信回線は、無線ＬＡＮあるいは光ＬＡＮで常時接続されていてもよく、有線ＬＡＮ等のケーブルで接続されている場合等のように断続的に接続されてもよい。出納機１００と貨幣管理装置２００とを断続的に接続する場合、随時、任意に接続を物理的に切断することができる。従って、貨幣管理装置２００は、店舗内の任意の場所へ移動して使用することができる。無線ＬＡＮで通信接続されている場合、出納機１００と貨幣管理装置２００との常時接続を維持しながら、貨幣管理装置２００は、店舗内の任意の場所へ移動して使用することができる。尚、貨幣管理装置２００は、単体での在高管理も可能である。
【００５６】
本発明の実施の一形態に係る貨幣管理システム及び貨幣管理方法においては、金融機関店舗内の総ての在高管理は、出納機１００によって行われる。出納機１００が管理する在高には、在庫在高６、機械在高１、ポスト在高２、手持ち在高３が含まれる。
【００５７】
在庫在高６とは、金融機関店舗内の本金庫内に収納されている貨幣の在高である。機械在高１とは、出納機１００内に収納されている貨幣の在高である。ポスト在高２とは、出納機１００のポスト、即ち、前述の現金外ボックス１４に入金された小切手等の有価証券類や、破損又は汚損した紙幣である損券であって、出金が不可能なものの在高である。手持ち在高３とは、資金移動のために一時的に本金庫又は出納機１００から取り出される等して、人手による管理の下に置かれている貨幣の在高であるが、貨幣管理装置２００に収納されて移動可能な状態となっている貨幣の在高である貨幣管理装置在高４（４Ｘ，４Ｙ）も手持ち在高の一部として管理される。貨幣管理装置在高４は、出納機１００において手持ち在高３の一部４Ｘとして管理されるが、貨幣管理装置２００自体においては、貨幣管理装置在高４Ｙとして管理されるものである。貨幣管理装置２００の貨幣管理装置在高４Ｙは、出納機１００により随時問い合わせられる。貨幣管理装置在高４Ｘと貨幣管理装置在高４Ｙとは、出納機１００と貨幣管理装置２００との間で連携処理情報を送受信して双方の在高データを更新することにより一致させられる。
【００５８】
連携処理情報は、出納機１００の処理管理データベース４００に記憶され、必要に応じて随時、更新される。この処理管理データベース４００は、例えば、出納機１００のハードディスクドライブ１５ｇに記憶される。
【００５９】
顧客との間で入出金を行う場合には、機械在高又は手持ち在高に含まれる貨幣を用いて入出金を行う。例えば、顧客から受けた現金を行員が出納機に入金する場合には、その入金額は機械在高に加算され、行員が貨幣管理装置へ現金を入金する場合には、その入金額は手持ち在高のうちの貨幣管理装置在高に加算される。また、顧客から小切手等の有価証券類が入金された場合や、入金された貨幣の中に損券が含まれていた場合は、それらは現金外ボックス１４へポスト入金されてポスト在高として管理されるが、その後、それらの有価証券類や損券が出納機１００のポスト（金外ボックス１４）から回収されると、そのポスト在高は手持ち在高の一部として管理される。
【００６０】
出納機１００に収納されている貨幣が不足した場合には、本金庫から貨幣を取り出して出納機１００に補充し、出納機１００に貨幣が入り切らなくなった場合には、出納機１００から貨幣を回収して本金庫に収納する。出納機１００から現金を回収する場合、資金の在高は、機械在高から手持在高を経由させて在庫在高へ移動させ、あるいは、出納機１００に現金を補充する場合、在庫在高から手持在高を経由させて機械在高へ移動させる。
【００６１】
また、出納機１００に収納されている貨幣が不足した場合には、貨幣管理装置２００から貨幣を取り出して出納機１００に補充し、出納機１００に貨幣が入り切らなくなった場合には、出納機１００から貨幣を回収して貨幣管理装置２００に収納してもよい。この場合、貨幣は、一旦、「行員の手持ち」として管理される。従って、出納機１００から現金を回収する場合、貨幣の在高は、機械在高から一旦手持ち在高へ移動し、次に、手持ち在高から貨幣管理装置在高へ移動する。あるいは、出納機１００に現金を補充する場合、貨幣の在高は、貨幣管理装置在高から一旦手持ち在高へ移動し、次に、手持ち在高から機械在高へ移動する。尚、ここで、貨幣は、一旦手持在高を経由して移動させているが、手持在高の経由は省略可能である。
【００６２】
貨幣管理装置２００に収納されている貨幣が不足した場合には、本金庫から貨幣を取り出して貨幣管理装置２００に補充し、あるいは、手持ち在高から貨幣を貨幣管理装置２００に補充する。貨幣管理装置２００に貨幣が入り切らなくなった場合には、貨幣管理装置２００から貨幣を回収して本金庫に収納し、あるいは、手持ち在高として管理する。この場合、手持ち在高およびその他の在高は変更しない。
【００６３】
総ての資金移動は、上述のように出納機１００によって在高管理が行われる。出納機１００は、出納機１００自身内の機械在高、ポスト在高、金庫内の在庫在高だけでなく、行員の手持ち貨幣の在高および貨幣管理装置在高を含む手持ち在高をも一括管理する。
【００６４】
次に、本実施形態による貨幣処理システムの動作例について、フローチャートを参照しながら説明する。
【００６５】
貨幣管理装置２００の操作者は、出納担当者または一般行員（テラー）のいずれでもよい。出納担当者とは、出納機１００及び貨幣管理装置２００の両方を使用する総ての入出金操作を行う権限を与えられている上位権限者である。一方、一般行員（テラー）とは、金融機関店舗の窓口で顧客との直接対応を行う係員であって、出納機１００において所定の限度額以内の入出金操作を行う権限を与えられている下位権限者である。
【００６６】
以下、貨幣管理装置２００の操作者は行員であるものとして説明する。
【００６７】
（装填処理）
図９は、貨幣管理装置２００での入出金操作プロセスの一例を示すフローチャートである。図１０、図１１（Ａ）〜図１２（Ｄ）は、貨幣管理装置２００の表示部２２７に表示される画面を示す図である。
【００６８】
図１０を参照して、貨幣管理装置２００の表示部２２７の各部の説明をする。表示部２２７の上側には「処理名称」、「処理日時」、「通番」、「担当者ナンバー」、「処理サブエリア」が表示される。通番は、一連の処理ごとにカウントアップされる番号であり、それまでの入出金処理の回数を示す。処理サブエリアには、一連の処理の詳細を示す。表示部２２７の下側には、操作の案内をする「ガイダンス表示部」、「エラーメッセージ部」および操作過程で処理の情報を表示する「状態表示部」が設けられている。表示部２２７の中央部には、メニュー、ガイダンス、金種、数量および／または金額等のメインコンテンツが表示される。状態表示部は、エラーが表示された場合等に貨幣管理装置２００の状態を示す。
【００６９】
図９のステップおよび図１１（Ａ）〜図１２（Ｄ）の画面表示を参照しながら貨幣管理装置２００の動作を説明する。
【００７０】
まず、表示部２２７は、図１１（Ａ）に示す状態にある。行員がＩＤカードをＩＤカードリーダ２２８に挿入すると、ＩＤカードリーダ２２８によって、貨幣管理装置２００で行員のＩＤ情報が読み取られる（図９のＳＴＥＰ１１）。当該ＩＤ情報に基づいて、その行員が、貨幣管理装置２００の操作許可者であるか否かが識別される（ＳＴＥＰ１２）。
【００７１】
その行員が操作許可者であれば、図１１（Ｂ）に示す操作メニューが表示部２２７に表示される（ＳＴＥＰ１３）。その表示を見ながら、行員は、キーボード式操作部２２６を用いて処理内容を入力する（ＳＴＥＰ１４）。ここで、図１１（Ｂ）に示す「１．装填」は、「行員の手持ち」または「在庫（本金庫）」から貨幣管理装置２００へ貨幣を補充する処理を示し、「２．回収」は、貨幣管理装置２００から「行員の手持ち」または「在庫（本金庫）」へ貨幣を回収する処理を示し、「３．収納」は、顧客から預かった貨幣を貨幣管理装置２００へ収納する処理を示し、並びに、「４．取出」は、顧客へ貨幣を支払うために貨幣管理装置２００から貨幣を取り出す処理を示す。
【００７２】
例えば、貨幣管理装置２００内の貨幣が不足している場合には、行員は「１．装填」を選択する。貨幣管理装置２００内の貨幣が超過している場合には、行員は「２．回収」を選択する。例えば、窓口にて行員が顧客から貨幣を預かり、その貨幣を貨幣管理装置２００へ収納する場合、行員は「３．収納」を選択する。逆に、窓口にて行員が顧客へ貨幣を支払うために貨幣管理装置２００から貨幣を取り出す場合、行員は「４．取出」を選択する。
【００７３】
操作メニューの５〜１０については、本発明とは直接関係無いので、その説明を省略する。
【００７４】
ＳＴＥＰ１４では、行員が操作メニューの１〜４のいずれかを選択する。ここでは、図１１（Ｂ）および図１１（Ｃ）に示すように、「１．装填」が選択される。即ち、本実施形態では、行員の手持ちまたは在庫（本金庫）から貨幣管理装置２００へ貨幣を補充する処理が実行される。
【００７５】
図１１（Ｃ）の画面において、行員は、セキュリティ向上のために暗証番号入力を入力する。（ＳＴＥＰ１５）。
【００７６】
暗証番号の照合の後、行員は、キーボード式操作部２２６を用いて、出金元（装填元）を選択する（ＳＴＥＰ１６）。出金元は、図１２（Ａ）に示すように「１．手持ち」または「２．在庫」のいずれかである。本金庫から貨幣管理装置２００へ貨幣を装填する場合、行員は、「２．在庫」を選択する。「行員の手持ち」から貨幣管理装置２００へ貨幣を装填する場合、行員は、「１．手持ち」を選択する。
【００７７】
尚、メニュー表示における「１．手持ち」および上記「行員の手持ち」は、行員の手元に置かれ、行員により管理されている貨幣を意味する。図８を参照して説明したように、「手持ち在高」は、「行員の手持ち」の在高だけでなく、貨幣管理装置在高を含む。従って、メニュー表示における「１．手持ち」および「行員の手持ち」は、図８に示す手持ち在高の「手持ち」と若干意味が異なることに注意されたい。
【００７８】
次に、行員は、キーボード式操作部２２６を用いて、入出金操作の詳細を入力する（ＳＴＥＰ１７）。具体的には、図１２（Ｂ）に示すように、入出金対象の金種及び束数あるいは本数のデータが入力される。図１２（Ｂ）には、紙幣のみの情報が表示されているが、硬貨も処理される場合には貨幣の情報が追加される。
【００７９】
その後、行員による入力完了キーの操作によって、入力完了が検知される（ＳＴＥＰ１８）。入力が完了すると、図１２（Ｃ）に示すように、現金の装填を促すガイダンスが表示されるとともに、貨幣管理装置２００は、扉または引き出しを自動で開ける。
【００８０】
行員がＳＴＥＰ１７で入力した通りの貨幣（入力した金種および束数／本数）を貨幣管理装置２００へ装填する（ＳＴＥＰ１９）。尚、“・”は“および”を示し、“／”は“または”を示す。即ち、行員は、ＳＴＥＰ１７で入力した金種の貨幣を入力数量分だけ貨幣管理装置２００へ装填する。このとき、ＳＴＥＰ１６において行員が「２．在庫」を選択した場合には、行員は本金庫から貨幣を出金し、その貨幣を貨幣管理装置２００へ装填する。ＳＴＥＰ１６において行員が「１．手持ち」を選択した場合には、行員は、「行員の手持ち」の貨幣を貨幣管理装置２００へ装填する。
【００８１】
次に、貨幣管理装置２００のロードセル２６１が実際に装填された貨幣を測定する（ＳＴＥＰ２０）。貨幣の測定は、例えば、貨幣の装填の終了後、操作者が扉あるいは引き出しを閉める動作をトリガとして実行される。つまり、閉動作検知装置２１１ｃ〜２１５ｃが扉あるいは引き出しを閉める動作を検知したときに、貨幣の測定が実行される。この場合、行員は貨幣の測定を意識する必要が無く、貨幣管理装置２００は、自動的に貨幣の測定を実行する。あるいは、貨幣の測定は、行員がキーボード式操作部２２６のうち所定のキーを押下することによって実行されてもよい。
【００８２】
貨幣の測定は、貨幣管理装置２００の扉または引き出しが開く前の測定値を、この扉または引き出しを閉じた後の測定値から減算すればよい。測定値は、ロードセル２６１によって測定された各金種ごとの束数／本数の測定値である。減算は、制御部２２５ｃが実行する。
【００８３】
実際に装填された貨幣（ロードセル２６１で測定された貨幣）の金種および束数／本数が、ＳＴＥＰ１７において行員によって入力された貨幣の金種および束数／本数の情報と異なる場合（ＳＴＥＰ２１のＮＯ）には、貨幣管理装置２００は、エラーメッセージ表示部にエラーを表示し、かつ、状態表示部に実際に装填された貨幣の金種および束数／本数が、入力情報と異なることを通知する（ＳＴＥＰ２２）。それと共に、貨幣管理装置２００は、ＳＴＥＰ１７以降の処理を再度実行する。このとき、行員が金種および束数／本数を再入力する手間を省き、かつ、誤入力を確認するために、図１２（Ｂ）に示す前回の入力情報を表示部２２７に表示させることが好ましい。さらに、行員が貨幣管理装置２００へ貨幣を装填し直すために、貨幣管理装置２００が扉あるいは引き出しを自動で開いてもよい。上記エラーは、エラー表示とともに、あるいは、これに代えて、貨幣管理装置２００に設けられたスピーカ（図示せず）を介して音声で行員に通知されてもよい。
【００８４】
実際に装填された貨幣の金種および束数／本数が、ＳＴＥＰ１７において入力された貨幣の情報と同じ場合（ＳＴＥＰ２０のＹＥＳ）には、貨幣管理装置２００は、インタフェース２２９を介して、一連の処理情報を処理キューとして出納機１００へ送信する（ＳＴＥＰ２３）。処理キューの送信は、ＳＴＥＰ２０の貨幣の測定の結果によって自動的に実行される。即ち、行員による扉あるいは引き出しを閉める動作またはキーの押下をトリガとして、ＳＴＥＰ２０〜２３は実行される。従って、行員は、貨幣の測定だけでなく、処理キューの送信も意識する必要が無い。
【００８５】
処理キューの送信後、図１２（Ｄ）に示すように、図１１（Ｂ）と同様にメニューの表示になる。あるいは、行員がログアウトを実行することによって、図１１（Ａ）に示す待機状態の表示に戻る。
【００８６】
貨幣管理装置２００は、処理キューをＲＡＭ２２５ｅまたはハードディスク２２５ｇに保存するとともに、自身において管理している貨幣管理装置在高（手持ち在高の一部）の情報を更新する。
【００８７】
以上により、貨幣管理装置２００における装填処理の一連の動作が完了する。
【００８８】
次に、処理キューについて説明する。
【００８９】
図１３は、貨幣管理装置２００における処理データを表示部２２７に表示した図である。処理データは、処理名称と、処理日時と、担当者番号と、通番と、当該処理により貨幣管理装置２００に収納された金種、その金種の数量および／または金額の情報、あるいは、当該処理により貨幣管理装置２００から取り出された金種、その金種の数量および／または金額の情報とを含む。尚、数量は、紙幣の束数または包装貨幣の本数である。通常、紙幣の束は所定枚数の紙幣を束ねたものであり、包装貨幣は所定枚数の貨幣を包装したものである。従って、金額は、金種・数量から算出可能であるため、上記装填処理の例では、金額の入力は省略されている。一方、処理された貨幣の金種および数量の確認のために、金種・数量だけでなく、金額の情報も貨幣管理装置に入力できるようにしてもよい。
【００９０】
図１３には、図１２（Ｂ）に示す入力情報が反映されている。例えば、図１１（Ｂ）（ＳＴＥＰ１４）で選択された処理メニュー「１．装填」は、処理名称「装填」に反映されている。図１２（Ａ）（ＳＴＥＰ１６）で選択された出金元「２．在庫」は、処理名称のカッコ内の表示「在庫→貨幣管理装置」に反映されている。図１２（Ｂ）（ＳＴＥＰ１７）で入力された金種・数量は、図１４の金種、その金種の数量および／または金額に反映されている。
【００９１】
貨幣管理装置２００は、処理データを出納機１００が取り扱うことができるフォーマットに変換し、この変換後のデータを処理キューとしてハードディスクドライブ２２５ｇあるいはＲＡＭ２２５ｅに保存する。例えば、図１４は、処理キューの内容を表示部２２７に表示した図である。本実施形態では、貨幣管理装置２００内には機械計数部が無く、図９のＳＴＥＰ１７に示すように装填する貨幣の金種・数量を手入力している。
【００９２】
図１４には、貨幣管理装置２００における手入力分の貨幣情報が表示されている。手入力分の貨幣情報とは、行員が図９のＳＴＥＰ１７で手入力した貨幣の金種・数量である。
【００９３】
処理データのフォーマットを処理キューのフォーマットと統一してもよい。この場合、処理データを処理キューへ変換することは不要となる。
【００９４】
出納機１００と貨幣管理装置２００とが無線ＬＡＮまたは光ＬＡＮ等で常に通信接続されている場合、貨幣管理装置２００は、装填処理が実行された時にリアルタイムで処理キューを送信することができる。
【００９５】
一方、出納機１００と貨幣管理装置２００とが断続的に通信接続される場合、貨幣管理装置２００と出納機１００とが通信接続されていないオフライン時に、貨幣管理装置２００は、複数の処理データまたは複数の処理キューをハードディスクドライブ２２５ｇまたはＲＡＭ２２５ｅに保存しておく。そして、貨幣管理装置２００と出納機１００とが通信接続されたオンライン時に、貨幣管理装置２００は、ハードディスクドライブ２２５ｇまたはＲＡＭ２２５ｅに蓄積された未送信の処理キューを出納機１００へ一括して送信する。
【００９６】
次に、処理キューを受信した出納機１００での処理を説明する。
【００９７】
図１５（Ａ）〜図１６（Ｂ）は、処理キューを受信した出納機１００の表示部１５ａに表示される画面を示す図である。出納機１００は、インタフェース１９を介して処理キューを受信すると、処理キューの情報に従って、図８に示す各在高を更新する。
【００９８】
出納機１００は、在庫（本金庫）から貨幣管理装置２００へ貨幣の装填処理が実行されたことを処理キューから認識することができる。この場合、図１５（Ａ）および図１５（Ｂ）に示すように、制御部１５ｃが、装填した金額を在庫在高から減算する。上記処理では、万券が１束（１００枚）および五千円券が１束（１００枚）装填されているので、制御部１５ｃは、それぞれ該当する金種から１００万円および５０万円を減算する。その結果、図１５（Ｂ）に示すように在庫在高が減算される。
【００９９】
一方、図１６（Ａ）および図１６（Ｂ）に示すように、制御部１５ｃは、装填した貨幣の金額を手持ち在高に加算する。上記処理では、万券が１００枚および五千円券が１００枚装填されているので、制御部１５ｃは、それぞれに該当する金種に１００万円および５０万円を加算する。その結果、図１６（Ｂ）に示すように手持ち在高が加算される。
【０１００】
図１７は、在庫から貨幣管理装置２００への装填処理の流れを示す全体的なイメージを示す概念図である。まず、貨幣管理装置２００において、行員が処理として「装填」を選択し、かつ、出金元として「在庫」を選択する（図９のＳＴＥＰ１４、１６）。装填処理の実行後、貨幣管理装置２００は、処理キューを保存し、かつ、処理キューを出納機１００へ送信する（図９のＳＴＥＰ２３）。
【０１０１】
出納機１００では、受信した処理キューを処理管理データベースに登録する。その後、処理キューの内容に従って、ハードディスク１５ｇに記憶された各在高を更新する。本実施形態では、在庫から貨幣管理装置２００へ貨幣が装填されている。従って、出納機１００において、制御部１５ｃは、装填された金額を在庫在高のデータから減算し、一方、装填された金額を手持ち在高のデータに加算する。このとき、出納機１００内に収納されている貨幣に変動は無いので、機械在高は不変である。
【０１０２】
もし、装填された貨幣に損券があった場合、損券の金種、数量および金額は、手持ち在高に加算することなく、ポスト在高に加算される。
【０１０３】
図１２（Ａ）において、「１．手持ち」が選択された場合、図８を参照して説明したように「貨幣管理装置在高」は「手持ち在高」の一部であるので、損券がない限りにおいて、図１７に示す各在高は変化しない。ただし、「手持ち在高」内において、「貨幣管理装置在高」を管理している場合には、装填された金額が、貨幣管理装置在高以外の「手持ち在高」から「貨幣管理装置在高」へ移動する。
【０１０４】
処理管理データベース、取引管理データベース、在庫在高、手持ち在高、ポスト在高、機械在高の各情報は、出納機１００のＲＡＭ１５ｅまたはハードディスクドライブ１５ｇに保存されている。各在高の加算および減算は、制御部１５ｃにおいて実行される。
【０１０５】
（回収処理）
図９、図１１および図１８を参照して、回収処理を説明する。図１８は、回収処理時に、図１１（Ｃ）に続いて貨幣管理装置２００の表示部２２７に表示される画面を示す図である。
【０１０６】
ＩＤカード挿入から暗証番号入力までの動作は、図９に示すＳＴＥＰ１１〜１５とそれぞれ同様である。ただし、回収処理では、図１１（Ｂ）（ＳＴＥＰ１４）において、行員は「２．回収」を選択する。これにより、図１１（Ｃ）、図１８（Ａ）から図１８（Ｃ）に示す処理名称は、「回収」となる。
【０１０７】
次に、行員は、キーボード式操作部２２６を用いて、資金の移動元を選択する（図９のＳＴＥＰ１６）。回収処理の場合、移動元は、図１８（Ａ）に示すように「１．手持ち」または「２．在庫」のいずれかである。貨幣管理装置２００から本金庫へ貨幣を回収する場合、行員は、「２．在庫」を選択する。貨幣管理装置２００から「行員の手持ち」へ貨幣を装填する場合、行員は、「１．手持ち」を選択する。ここでは、「２．在庫」が選択される。
【０１０８】
次に、行員は、キーボード式操作部２２６を用いて、入出金操作の詳細を入力する（ＴＥＰ１７）。その後、行員による入力完了キーの操作によって、入力完了が検知される（ＳＴＥＰ１８）。入力が完了すると、図１８（Ｃ）に示すように、現金の回収を促すガイダンスが表示される。
【０１０９】
行員がＳＴＥＰ１７で入力した通りに貨幣を貨幣管理装置２００から回収する（ＳＴＥＰ１９）。即ち、行員は、ＳＴＥＰ１７で入力した金種の貨幣を入力数量分だけ貨幣管理装置２００から回収する。このとき、ＳＴＥＰ１６において行員が「２．在庫」を選択した場合には、行員は、回収した貨幣を本金庫へ入れる。ＳＴＥＰ１６において行員が「１．手持ち」を選択した場合には、行員は、回収した貨幣を、「行員の手持ち」として行員が手元で管理する。
【０１１０】
貨幣管理装置２００のロードセル２６１が実際に回収された貨幣を測定する（図９のＳＴＥＰ２０）。貨幣の測定は、図９の装填処理のときの貨幣の測定と同様に実行される。
【０１１１】
実際に回収された貨幣の金種・数量が、ＳＴＥＰ１７において入力された貨幣の情報と異なる場合（ＳＴＥＰ２１のＮＯ）には、貨幣管理装置２００は、エラーメッセージを表示部に表示するとともに、状態表示部に実際に装填された貨幣の金種・数量が、入力情報と異なることを通知する（ＳＴＥＰ２２）。さらに、ＳＴＥＰ１７以降の処理を再度実行する。上記エラーは、エラー表示とともに、あるいは、これに代えて、貨幣管理装置２００に設けられたスピーカを介して音声で行員に通知されてもよい。
【０１１２】
実際に回収された貨幣の金種・数量が、ＳＴＥＰ１７において入力された貨幣の情報と同じ場合（ＳＴＥＰ２１のＹＥＳ）には、貨幣管理装置２００は、インタフェース２２９を介して、一連の処理情報を処理キューとして出納機１００へ送信する（ＳＴＥＰ２３）。処理キューの送信は、ＳＴＥＰ１９の後、扉あるいは引き出しを閉める動作またはキーの押下をトリガとして実行される。
【０１１３】
処理キューの送信後の貨幣管理装置２００の動作は、上記装填処理と同様であるので、その説明を省略する。
【０１１４】
図１９は、回収時における貨幣管理装置２００の処理データの内容を表示した図である。処理データには、回収処理における入力情報が反映されている。例えば、図１１（Ｂ）（ＳＴＥＰ１４）で選択された処理メニュー「２．回収」は、図１９の処理名称「回収」に反映されている。図１８（Ａ）（ＳＴＥＰ１６）で選択された回収先「２．在庫」は、図１９の処理名称のカッコ内の表示「貨幣管理装置→在庫」に反映されている。図１８（Ｂ）（ＳＴＥＰ１７）で入力された金種・数量は、図１９の「取出分」の金種、数量および金額に反映される。
【０１１５】
図１４を参照して、回収時における処理キューを説明する。回収処理の処理キューには、図１９に示した処理データの内容が反映される。よって、処理名称が「回収」と表示され、処理名称のカッコ内の表示は、処理データのそれと同様に「貨幣管理装置→在庫」となる。また、貨幣管理装置２００からの手払い分の金種の数量および金額が処理キューに表示される。
【０１１６】
尚、図１８（Ａ）（ＳＴＥＰ１６）において「１．手持ち」が選択された場合、処理データおよび処理キューにおける処理名称のカッコ内の表示は、「貨幣管理装置→手持ち」となる。
【０１１７】
次に、処理キューを受信した出納機１００での処理を説明する。
【０１１８】
図２０（Ａ）〜図２１（Ｂ）は、処理キューを受信した出納機１００の表示部１５ａに表示される画面を示す図である。回収処理の場合、図２０（Ａ）および図２０（Ｂ）に示すように、回収した貨幣の金額を手持ち在高（貨幣管理装置在高）から減算する。上記処理では、万券が１束（１００枚）および五千円券が１束（１００枚）回収されているので、それぞれ該当する金種から１００万円および５０万円を減算する。その結果、図２０（Ｂ）に示すように手持ち在高（貨幣管理装置在高）が減算される。
【０１１９】
尚、図１８（Ａ）（ＳＴＥＰ１６）において「１．手持ち」が選択された場合、かつ、貨幣管理装置在高がそれ以外の手持ち在高とは別に管理されている場合、回収した貨幣の金額を貨幣管理装置在高以外の手持ち在高から減算する。
【０１２０】
一方、図２１（Ａ）および図２１（Ｂ）に示すように、回収した貨幣の金額を在庫在高に加算する。上記処理では、万券が１００枚および五千円券が１００枚回収されているので、それぞれに該当する金種に１００万円および５０万円を加算する。その結果、図２１（Ｂ）に示すように在庫在高が加算される。
【０１２１】
図２２は、貨幣管理装置２００から在庫への回収処理の流れを示す全体的なイメージを示す概念図である。貨幣管理装置２００において、行員が処理として「回収」を選択し、かつ、回収先として「在庫」を選択する（図９のＳＴＥＰ１４、１６）。回収処理の実行後、貨幣管理装置２００は、処理キューを保存し、かつ、処理キューを出納機１００へ送信する（ＳＴＥＰ１３）。
【０１２２】
出納機１００では、受信した処理キューを処理管理データベースに登録する。その後、処理キューの内容に従って、各在高を更新する。本実施形態では、貨幣管理装置２００から在庫へ貨幣が回収されている。従って、出納機１００において、回収された金額を手持ち在高のデータから減算し、一方、回収された金額を在庫在高のデータに加算する。このとき、機械在高は不変である。
【０１２３】
もし、回収された貨幣に損券があった場合、損券の金種、数量および金額は、在庫在高に加算することなく、ポスト在高に加算される。
【０１２４】
回収処理のその他の動作は装填処理の動作から容易に推測できるので、その説明を省略する。
【０１２５】
（収納処理）
図９、図１１および図２３を参照して、貨幣管理装置２００における収納処理を説明する。図２３は、収納処理時に、図１１（Ｃ）に続いて貨幣管理装置２００の表示部２２７に表示される画面を示す図である。
【０１２６】
ＩＤカード挿入から暗証番号入力までの動作は、図９に示すＳＴＥＰ１１〜１５とそれぞれ同様である。ただし、収納処理では、図１１（Ｂ）（ＳＴＥＰ１４）において、行員は「３．収納」を選択する。これにより、図１１（Ｃ）、図２３（Ａ）から図２３（Ｃ）に示す処理名称は、「収納」となる。
【０１２７】
次に、行員は、キーボード式操作部２２６を用いて、資金の移動元として収納先を選択する（ＳＴＥＰ１６）。収納先は、図２３（Ａ）に示すように「１．行員手持ち」または「２．貨幣管理装置」のいずれかである。顧客から預かった貨幣を貨幣管理装置２００へ貨幣を回収する場合、行員は、「２．貨幣管理装置」を選択する。顧客から預かった貨幣を行員の手元に置いて管理する場合、行員は、「１．行員手持ち」を選択する。ここでは、「２．貨幣管理装置」が選択されている。
【０１２８】
次に、行員は、キーボード式操作部２２６を用いて、入出金操作の詳細を入力する（ＳＴＥＰ１７）。
【０１２９】
その後、行員による入力完了キーの操作によって、入力完了が検知される（ＳＴＥＰ１８）。入力が完了すると、図２３（Ｃ）に示すように、現金の収納を促すガイダンスが表示される。
【０１３０】
行員が、図９のＳＴＥＰ１７で入力した通りに貨幣を貨幣管理装置２００に収納する（ＳＴＥＰ１９）。即ち、行員は、ＳＴＥＰ１７で入力した金種の貨幣を入力数量分だけ貨幣管理装置２００に収納する。貨幣管理装置２００のロードセル２６１が実際に収納された貨幣を測定する（ＳＴＥＰ２０）。貨幣の測定は、装填処理および回収処理のときと同様に実行される。
【０１３１】
実際に収納された貨幣の金種、数量および／または金額が、ＳＴＥＰ１７において入力された貨幣の情報と異なる場合（ＳＴＥＰ２１のＮＯ）には、貨幣管理装置２００は、エラーメッセージを表示部に表示し、かつ、状態表示部に実際に装填された貨幣の金種・数量が入力情報と異なることを通知する（ＳＴＥＰ２２）。それと共に、ＳＴＥＰ１７以降の処理を再度実行する。上記エラーは、エラー表示とともに、あるいは、これに代えて、貨幣管理装置２００に設けられたスピーカを介して音声で行員に通知されてもよい。
【０１３２】
実際に収納された貨幣の金種・数量が、ＳＴＥＰ１７において入力された貨幣の情報と同じ場合（ＳＴＥＰ２０のＹＥＳ）には、貨幣管理装置２００は、インタフェース２２９を介して、一連の処理情報を処理キューとして出納機１００へ送信する（ＳＴＥＰ２３）。処理キューの送信は、ＳＴＥＰ１９の後、扉あるいは引き出しを閉める動作またはキーの押下をトリガとして実行される。
【０１３３】
処理キューの送信後の貨幣管理装置２００の動作は、上記装填処理と同様であるので、その説明を省略する。
【０１３４】
図２４は、収納時における貨幣管理装置２００の処理データの内容を表示した図である。処理データには、収納処理における入力情報が反映されている。例えば、図１１（Ｂ）（ＳＴＥＰ１４）で選択された処理メニュー「３．収納」は、図２４の処理名称「収納」に反映される。図２３（Ａ）（ＳＴＥＰ１６）で選択された収納先「２．貨幣管理装置」は、図２４の処理名称のカッコ内の表示「顧客→貨幣管理装置」に反映される。図２３（Ｂ）（ＳＴＥＰ１７）で入力された金種・数量は、図２４の「収納分」の金種、数量および金額に反映される。
【０１３５】
図１４を参照して、収納処理時における処理キューを説明する。収納処理の処理キューには、図２４に示した処理データの内容が反映される。よって、処理名称が「収納」と表示され、処理名称のカッコ内の表示は、処理データのそれと同様に「顧客→貨幣管理装置」となる。また、貨幣管理装置２００からの手入力分の貨幣の金種の数量および／または金額が処理キューに表示される。
【０１３６】
尚、図２３（Ａ）（ＳＴＥＰ１６）において「１．行員手持ち」が選択された場合、ＳＴＥＰ１９において貨幣管理装置２００へ貨幣を収納する処理は実行されず、行員は手元で当該貨幣を管理する。この場合、ＳＴＥＰ１７において、行員が金種・数量を入力した後、ＳＴＥＰ１８の入力完了キーの操作をトリガとして、ＳＴＥＰ２０における貨幣の測定が実行される。また、この場合、処理データおよび処理キューにおける処理名称のカッコ内の表示は、「顧客→行員手持ち」となる。
【０１３７】
次に、処理キューを受信した出納機１００での処理を説明する。
【０１３８】
図２５（Ａ）および図２５（Ｂ）は、処理キューを受信した出納機１００の表示部１５ａに表示される画面を示す図である。貨幣管理装置２００への収納処理の場合、図２５（Ａ）および図２５（Ｂ）に示すように、出納機１００は、収納した貨幣の金額を手持ち在高（貨幣管理装置在高）に加算する。上記処理では、万券が１束（１００枚）および五千円券が１束（１００枚）収納されているので、出納機１００は、それぞれに該当する金種に１００万円および５０万円を加算する。その結果、図２５（Ｂ）に示すように手持ち在高が加算される。
【０１３９】
尚、図２３（Ａ）（ＳＴＥＰ１６）において「１．行員手持ち」が選択され、かつ、貨幣管理装置在高がそれ以外の手持ち在高とは別に管理されている場合、出納機１００は、収納した貨幣の金額を貨幣管理装置在高以外の手持ち在高へ加算する。
【０１４０】
図２６は、貨幣管理装置２００への収納処理の流れを示す全体的なイメージを示す概念図である。まず、貨幣管理装置２００において、行員が処理として「収納」を選択し、かつ、収納先として「貨幣管理装置」を選択する（図９のＳＴＥＰ１４、１６）。収納処理の実行後、貨幣管理装置２００は、処理キューを保存し、かつ、処理キューを出納機１００へ送信する（ＳＴＥＰ２３）。
【０１４１】
出納機１００では、受信した処理キューを処理管理データベースに登録する。その後、処理キューの内容に従って、各在高を更新する。本実施形態では、貨幣管理装置２００へ貨幣が収納されている。従って、収納された金額を手持ち在高のデータに加算する。このとき、在庫在高、機械在高は不変である。
【０１４２】
もし、回収された貨幣に損券があった場合、損券の金種、数量および金額は、手持ち在高に加算することなく、ポスト在高に加算される。
【０１４３】
その他の収納処理は装填処理から容易に推測できるので、その説明を省略する。
【０１４４】
（取出処理）
図９、図１１および図２７を参照して、貨幣管理装置２００における取出処理を説明する。図２７（Ａ）〜図２７（Ｄ）は、取出処理時に、図１１（Ｃ）に続いて貨幣管理装置２００の表示部２２７に表示される画面を示す図である。
【０１４５】
ＩＤカード挿入から暗証番号入力までの動作は、図９に示すＳＴＥＰ１１〜１５とそれぞれ同様である。ただし、取出処理では、図１１（Ｂ）（ＳＴＥＰ１４）において、行員は「４．取出」を選択する。これにより、図１１（Ｃ）、図２７（Ａ）から図２７（Ｃ）に示す処理名称は、「取出」となる。
【０１４６】
次に、行員は、キーボード式操作部２２６を用いて、資金の移動元としての取出元を選択する（ＳＴＥＰ１６）。取出元は、図２７（Ａ）に示すように「１．行員手持ち」または「２．貨幣管理装置」のいずれかである。顧客へ支払う貨幣を貨幣管理装置２００から取り出す場合、行員は、「２．貨幣管理装置」を選択する。「行員の手持ち」から顧客へ貨幣を支払う場合、行員は、「１．行員手持ち」を選択する。ここでは、「２．貨幣管理装置」が選択される。
【０１４７】
次に、行員は、キーボード式操作部２２６を用いて、入出金操作の詳細を入力する（ＳＴＥＰ１７）。
【０１４８】
その後、行員による入力完了キーの操作によって、入力完了が検知される（ＳＴＥＰ１８）。入力が完了すると、図２７（Ｃ）に示すように、現金の取出を促すガイダンスが表示される。
【０１４９】
行員がＳＴＥＰ１７で入力した通りに貨幣を貨幣管理装置２００から取り出す（ＳＴＥＰ１９）。即ち、行員は、ＳＴＥＰ１７で入力した金種の貨幣を入力数量分だけ貨幣管理装置２００から取り出す。貨幣管理装置２００のロードセル２６１が実際に取出された貨幣を測定する（ＳＴＥＰ２０）。
【０１５０】
実際に取出された貨幣の金種・数量が、ＳＴＥＰ１７において入力された貨幣の情報と異なる場合（ＳＴＥＰ２１のＮＯ）には、貨幣管理装置２００は、エラーメッセージ表示部にエラーを表示するとともに、状態表示部に実際に取出された貨幣の金種・数量が、入力情報と異なることを通知する（ＳＴＥＰ２２）。さらに、ＳＴＥＰ１７以降の処理を再度実行する。上記エラーは、エラー表示とともに、あるいは、これに代えて、貨幣管理装置２００に設けられたスピーカを介して音声で行員に通知されてもよい。
【０１５１】
実際に取出された貨幣の金種・数量が、ＳＴＥＰ１７において入力された貨幣の情報と同じ場合（ＳＴＥＰ２０のＹＥＳ）には、貨幣管理装置２００は、インタフェース２２９を介して、一連の処理情報を処理キューとして出納機１００へ送信する（ＳＴＥＰ２３）。処理キューの送信は、ＳＴＥＰ１９の後、扉あるいは引き出しを閉める動作またはキーの押下をトリガとして実行される。
【０１５２】
処理キューの送信後の貨幣管理装置２００の動作は、上記装填処理と同様であるので、その説明を省略する。
【０１５３】
図２８は、取出処理時における貨幣管理装置２００の処理データの内容を表示した図である。処理データには、取出処理における入力情報が反映されている。例えば、図１１（Ｂ）（ＳＴＥＰ１４）で選択された処理メニュー「４．取出」は、図２８の処理名称「取出」に反映されている。図３５（Ａ）（ＳＴＥＰ１６）で選択された取出先「２．貨幣管理装置」は、図２８の処理名称のカッコ内の表示「貨幣管理装置→顧客」に反映されている。図２７（Ｂ）（ＳＴＥＰ１７）で入力された金種・数量は、図２８の「取出分」の金種、数量および金額に反映されている。
【０１５４】
図１４を参照して、取出処理時における処理キューを説明する。取出処理の処理キューには、図２８に示した処理データの内容が反映される。よって、処理名称が「取出」と表示され、処理名称のカッコ内の表示は、処理データのそれと同様に「貨幣管理装置→顧客」となる。また、貨幣管理装置２００から取出された貨幣の金種の数量および／または金額が処理キューに表示される。
【０１５５】
尚、図２７（Ａ）（ＳＴＥＰ１６）において「１．行員手持ち」が選択された場合、図９のＳＴＥＰ１９において貨幣管理装置２００から貨幣を取り出す処理は実行されず、行員は手元で管理している「行員の手持ち」から貨幣を取り出す。この場合、ＳＴＥＰ１７において、行員が金種・数量を入力した後、ＳＴＥＰ１８の入力完了キーの操作をトリガとして、ＳＴＥＰ２０における貨幣の測定が実行される。また、この場合、処理データおよび処理キューにおける処理名称のカッコ内の表示は、「行員手持ち→顧客」となる。
【０１５６】
次に、処理キューを受信した出納機１００での処理を説明する。
【０１５７】
図２９（Ａ）および図２９（Ｂ）は、処理キューを受信した出納機１００の表示部１５ａに表示される画面を示す図である。貨幣管理装置２００からの取出処理の場合、出納機１００は、取出した貨幣の金額を手持ち在高（貨幣管理装置在高）から減算する。上記処理では、万券が１束（１００枚）および五千円券が１束（１００枚）取出されているので、出納機１００は、それぞれに該当する金種から１００万円および５０万円を減算する。その結果、図２９（Ｂ）に示すように手持ち在高が更新される。
【０１５８】
尚、図２７（Ａ）（ＳＴＥＰ７６）において「１．行員手持ち」が選択され、かつ、貨幣管理装置在高がそれ以外の手持ち在高とは別に管理されている場合、出納機１００は、取出した貨幣の金額を貨幣管理装置在高以外の手持ち在高から減算する。
【０１５９】
図３０は、貨幣管理装置２００からの取出処理の流れを示す全体的なイメージを示す概念図である。まず、貨幣管理装置２００において、行員が処理として「取出」を選択し、かつ、取出元として「貨幣管理装置」を選択する（図９のＳＴＥＰ１４、１６）。取出処理の実行後、貨幣管理装置２００は、処理キューを保存し、かつ、処理キューを出納機１００へ送信する（図９のＳＴＥＰ２３）。
【０１６０】
出納機１００では、処理キューを処理管理データベースに登録する。その後、処理キューの内容に従って、各在高を更新する。本実施形態では、貨幣管理装置２００から貨幣が取出されている。従って、取出された金額を手持ち在高のデータから減算する。このとき、在庫在高、機械在高は不変である。
【０１６１】
その他の取出処理は装填処理から容易に推測できるので、その説明を省略する。
【０１６２】
以上、「装填」、「回収、「収納」、「取出」の処理について説明したが、貨幣管理装置２００におけるその他の処理についても、貨幣管理装置２００から出納機１００へ処理キューを送信し、出納機１００において、各在高を一元管理してもよい。
【０１６３】
在庫（本金庫）へ回収した貨幣および在庫から取出した貨幣については、貨幣管理装置２００を介すことなく、在庫（本金庫）から出納機１００へ処理データが送信される。
【０１６４】
本実施形態に係る貨幣管理システム及び貨幣管理方法によれば、出納機１００と共に貨幣管理システムを構成する貨幣管理装置２００は、通信回線を接続解除し、あるいは、通信回線の接続を維持したまま、任意の場所に移動して使用することができ、かつ、出納機１００及び貨幣管理装置２００が関係する入出金操作に関する処理情報を、出納機１００へ送信することができる。これにより、出納機１００は、在庫在高、機械在高及びポスト在高に加えて、貨幣管理装置在高を含む手持ち在高についても正確に一元管理するができる。
【０１６５】
また、行員が貨幣管理装置２００から貨幣を入金または出金したときに、行員は出納機１００の操作をする必要が無い。従って、行員による出納機１００のみの操作によって、出納機１００において正確且つ総合的な金融機関内の在高を一元管理することができる。その結果、行員の手間を省くことができ、低コストな業務運営を実現することができる。
【０１６６】
尚、出納機１００と貨幣管理装置２００との間の資金移動は、一旦、「行員の手持ち」として扱われるため、上記取出処理を実行後、行員が出納機１００に当該貨幣を収納することによって、出納機１００が手持ち在高から機械在高へ当該貨幣の金額を移動させる。
【０１６７】
本実施形態では、貨幣管理装置２００から送信される処理キューは、出納機１００のハードディスクドライブ１５ｇ等の記憶装置に記憶される。しかし、出納機１００の記憶装置に記憶せずに出納機１００が貨幣管理装置２００に問い合わせを行ったときのみ、貨幣管理装置２００は、ハードディスクドライブ２２５ｇ等に保持されている処理キューを出納機１００へ送信してもよい。
【０１６８】
また、出納機１００と貨幣管理装置２００とにおいて貨幣移動処理を処理キューにより管理することによって、一つの処理キューに設定された貨幣管理装置２００における入出金処理と在庫または行員の手持ちにおける入出金処理とを別個の操作者が実行することもできる。これにより、両方の処理を一人の操作者が実行する場合と比較して、両方の貨幣移動処理が完了するまでの時間を大幅に短縮することができる。さらには、両方の貨幣移動処理をほぼ同時に完了させることもできる。
【符号の説明】
【０１６９】
１００  出納機
２００  貨幣管理装置
３００  貨幣管理システム
４００  処理管理データベース
１１  紙幣処理装置
Ｐ１  束紙幣処理部
Ｐ２  バラ紙幣処理部
１２  バラ硬貨処理装置
１３  包装硬貨処理装置
１４  現金外ボックス
１５  制御部
１５ａ  表示部
１５ｂ  ＩＤカードリーダ
１５ｃ  制御本体部
１５ｄ  ＲＯＭ
１５ｅ  ＲＡＭ
１５ｆ  フレキシブルディスクドライブ
１５ｇ  ハードディスクドライブ
１６  キーボード式操作部
１８  外部プリンタ
１９  通信インタフェース（通信ＩＦ）
２１  束紙幣出金口
２２  バラ紙幣出金口
２３  包装硬貨出金口
２４  バラ硬貨出金口
２１１  第１紙幣収納ドロア
２１２  第２硬貨収納ドロア
２１３  第１紙幣収納ドロア
２１４  第２硬貨収納ドロア
２１５  予備収納庫
２１１ｍ〜２１５ｍ  開閉電磁ロック
２２１〜２２４  紙幣保管容器
２４１〜２４３  硬貨保管容器
２６１  ロードセル
２２５  制御装置（制御手段）
２２５ｄ  ＲＯＭ
２２５ｅ  ＲＡＭ
２２５ｇ  ハードディスクドライブ
２２５ｃ  制御演算部
２２６  キーボード式操作部
２２７  表示部
２２８  ＩＤカードリーダ
２２９  通信インタフェース（通信ＩＦ）
【図１】
0005497124.tif 000002
【図２】
0005497124.tif 000003
【図３】
0005497124.tif 000004
【図４】
0005497124.tif 000005
【図５】
0005497124.tif 000006
【図６】
0005497124.tif 000007
【図７】
0005497124.tif 000008
【図８】
0005497124.tif 000009
【図９】
0005497124.tif 000010
【図１０】
0005497124.tif 000011
【図１１】
0005497124.tif 000012
【図１２】
0005497124.tif 000013
【図１３】
0005497124.tif 000014
【図１４】
0005497124.tif 000015
【図１５】
0005497124.tif 000016
【図１６】
0005497124.tif 000017
【図１７】
0005497124.tif 000018
【図１８】
0005497124.tif 000019
【図１９】
0005497124.tif 000020
【図２０】
0005497124.tif 000021
【図２１】
0005497124.tif 000022
【図２２】
0005497124.tif 000023
【図２３】
0005497124.tif 000024
【図２４】
0005497124.tif 000025
【図２５】
0005497124.tif 000026
【図２６】
0005497124.tif 000027
【図２７】
0005497124.tif 000028
【図２８】
0005497124.tif 000029
【図２９】
0005497124.tif 000030
【図３０】
0005497124.tif 000031